(57)【要約】【課題】  遊技機の機内に遊技基板が設けられており、その遊技基板とホールコンピュータとが機内に固定した中継基板を介して繋がっている。従来はこの中継基板がネジ等の固定手段でしっかり取り付けられていて着脱に時間が掛かり、組み付けや検査に時間が掛かる問題点があった。【解決手段】  機内に設けた遊技基板とホールコンピュータとを接続するための中継基板１４と、機内に固着した基板ホルダー１００とを有し、該基板ホルダー１００に中継基板１４の着脱が手だけで行える工具不要の基板保持手段を設け、その基板保持手段で基板ホルダー１００に中継基板１４を保持させ、もって基板ホルダー１００を介して機内に中継基板１４を取り付けるようにした。【選択図】        図１
2005143607.tif 000002
【特許請求の範囲】
【請求項１】
機内に設けた遊技基板と外部のコンピュータとを接続するための中継基板と、機内に固着した基板ホルダーとを有し、該基板ホルダーに中継基板の着脱が手だけで行える工具不要の基板保持手段を設け、その基板保持手段で基板ホルダーに中継基板を保持させ、もって基板ホルダーを介して機内に中継基板を取り付けるようにしたことを特徴とする遊技機。
【発明の詳細な説明】
【技術分野】
【０００１】
本発明は、機内に遊技基板を有しさらにその遊技基板と外部のコンピュータ（以下ホールコンピュータともいう。）とを接続するようにした遊技機に関する。
【背景技術】
【０００２】
スロットマシンやパチンコ機などの遊技機には機内に遊技基板が設けられており、その遊技基板と外部（遊技場）のコンピュータが繋がっている。遊技基板とホールコンピュータの接続は、遊技機側に固定した中継基板を介して行われており、従来はこの中継基板がネジなどの固定手段で機内にしっかり取り付けられていた。
【発明の開示】
【発明が解決しようとする課題】
【０００３】
前記のように中継基板は遊技基板と外部コンピュータの間に介在しており、この中継基板に不正工作が施されて遊技基板が不正に制御される可能性がある。このような不正工作の摘発には中継基板の検査が不可欠であるところ、従来の遊技機は中継基板がドライバーなどの工具がなければ外せないように強固に取り付けられていたため、中継基板の着脱に時間が掛かって十分な検査が実施できない問題点があった。
【課題を解決するための手段】
【０００４】
機内に設けた遊技基板と外部のコンピュータとを接続するための中継基板と、機内に固着した基板ホルダーとを有し、該基板ホルダーに中継基板の着脱が手だけで行える工具不要の基板保持手段を設け、その基板保持手段で基板ホルダーに中継基板を保持させ、もって基板ホルダーを介して機内に中継基板を取り付けるようにした遊技機を提供する。
【発明の効果】
【０００５】
中継基板は基板ホルダーに対し着脱に工具を要しない基板保持手段で簡易に保持されているにすぎないため、手だけで簡単・迅速に着脱できる。従って中継基板の組み付けや検査が効率よく行える。
【発明を実施するための最良の形態】
【０００６】
以下に本発明の実施の形態を遊技機たるスロットマシンにより説明する。なお、図１（ａ）は基板ホルダーと中継基板の分解斜視図、図１（ｂ）は基板ホルダーに中継基板を保持させた状態を示す斜視図、図２Ａ（ａ）〜図２Ａ（ｃ）は基板ホルダーに中継基板を保持させる工程を示す縦断面図、図２Ｂは基板ホルダーに中継基板を保持させる状態を示す縦断面図、図３は基板ホルダーに中継基板を保持させた状態を示す斜視図、図４は基板ホルダーと中継基板の分解斜視図、図５はスロットマシンの側面図、図６はスロットマシンの正面断面図である。
【０００７】
スロットマシン１は図５，図６に示したように、正面視四角形に枠組みした側枠２ａの背面を背板２ｂで覆った箱状の外枠２と、その外枠２の前面に片開きのドア状に回動可能に取り付けた前面パネル３と、景品として遊技者に遊技媒体たるメダルを放出する遊技媒体放出装置４と、個別に回転可能な三個のリールを主要構成要素とする図柄変動装置５と、各種スイッチ類（電源スイッチ６、エラー解除スイッチ７、確率設定変更専用のキーで操作する当たり率設定用のキースイッチ８、打止めスイッチ９、精算切替スイッチ１０など）を設けた電源装置１１と、スロットマシン１を制御する遊技基板１２などを有する。
【０００８】
これらの構成要素のうち前記電源装置１１は図柄変動装置５の奥にあって外枠２の背板２ｂに取り付けられており、一方、遊技基板１２は図柄変動装置５のハウジング５ａに取り付けられており、両者は互いのドロワーコネクタ１３ａ，１３ｂ同士の結合によって直結されている。なお、遊技基板１２は図柄変動装置５のハウジング５ａの頂部に固着した基台５ｂに前後摺動自在に取り付けられており、図柄変動装置５を外枠２の仕切板５ｃに固定してから基台５ｂ上を滑らせ、電源装置１１のドロワーコネクタ１３ａに自己のドロワーコネクタ１３ｂを嵌め合わせる。このように遊技基板１２と電源装置１１をドロワーコネクタ１３ａ，１３ｂで直結した場合には、例えば遊技基板１２と電源装置１１の間に不正な基板を組み込んで遊技基板１２を勝手に制御する、というような不正に対抗できる。
【０００９】
前記遊技基板１２と図示しないホールコンピュータとは中継基板１４を介して繋がっている。中継基板１４には少なくとも二つのコネクタ１５，１６が設置されており、その一方のコネクタ１５が遊技基板１２に繋がるケーブル１７（図７参照）のコネクタ１８と対をなし、もう一方のコネクタ１６がホールコンピュータに繋がるケーブル１９のコネクタ２０と対をなす。
【００１０】
前記中継基板１４は外枠２の側枠２ａ内面に固着した基板ホルダー１００を介して機内に取り付けられている。基板ホルダー１００は中継基板１４の着脱が人の手だけで行える工具不要の基板保持手段を有し、この基板保持手段によって中継基板１４が保持される。
【００１１】
図１，図２Ａはそのような基板ホルダー１００の一例を示すものであって、該基板ホルダー１００は、中継基板１４より若干縦長のボックス型で前面に開口部１０１を有し、その開口部１０１の下縁に下枠１０２を設け、また、開口部１０１の上縁に上枠１０３を設け、さらに開口部１０１の左右の縁に中継基板１４を指で挟むための凹欠部１０４を設けてなる。基板ホルダー１００の主たる部分の寸法関係は、前記下枠１０２の上縁から基板ホルダー１００の天板１０５内面までの距離が中継基板１４の高さより若干大きく、また、上枠１０３の下縁から基板ホルダー１００の底板１０６上面までの距離が中継基板１４の高さより小さくなっている。
【００１２】
この基板ホルダー１００に対して中継基板１４を取り付ける場合は、図２Ａ（ａ）のように中継基板１４を起立させた状態にして両横を指で挟み、そこから図２Ａ（ｂ）のように中継基板１４の頭部を後に倒して傾けながらその頭部を開口部１０１の奥に差し入れ、次に中継基板１４を垂直に戻しつつその下縁を下枠１０２の奥に入れて手を離す。そうすると図２Ａ（ｂ）二点鎖線のように中継基板１４が自重で下がって基板ホルダー１００の底板１０６上に載る。この状態で中継基板１４が前傾しても頭部が上枠１０３に当たって開口部１０１から抜け出ることはなく、上記と逆の操作を意識的に実行しない限り中継基板１４は基板ホルダー１００から外れない。
【００１３】
それでもなお中継基板１４の固定を確実にする必要があれば、基板ホルダー１００に対し図３のように中継基板１４の基板ホルダー１００内での遊動を規制するストッパー１０７を設ければよい。図示したストッパー１０７は基板ホルダー１００の側面上部に抜き差しするプラグ型であり、同図実線の差込み状態で中継基板１４の頭部と基板ホルダー１００の天板１０５の間に介入して中継基板１４の遊動を阻止する。基板ホルダー１００内での動きが規制された中継基板１４は下枠１０２を乗り越えられないため基板ホルダー１００から外れない。もちろん図示したストッパー１０７は一つの例示であって斯かる構造に限定されるものではなく、例えば基板ホルダー１００にシリンダーを突設し、そのシリンダー内にストッパー１０７を仕込んで該ストッパー１０７と基板ホルダー１００を一体にしてもよい。
また、中継基板１４の安定化策として、図１（ａ）に二点鎖線で示したように、基板ホルダー１００に中継基板１４の裏側に当接するリブ１２４，１２４を突設し、中継基板１４の下側を図２Ｂに示したようにリブ１２４，１２４と下枠１０２の間に挟ませるようにしてもよい。こうすることにより中継基板１４の基板ホルダー１００内での遊びが減って安定する。前記リブ１２４，１２４の長さは、上枠１０３でカバーされた上の領域に踏み込まない寸法に設定して中継基板１４の出し入れに支障がないようにするのがよい。なお、リブ１２４，１２４をコネクタ１５，１６の真裏に当たる位置に配置すれば、コネクタ１５，１６に対してコネクタ１８，２０を差し込む際にも中継基板１４が撓まず、従って中継基板１４の回路にダメージを与えない。しかもリブ１２４，１２４が枕になって中継基板１４の背面に電気的絶縁空間が形成されるため、中継基板１４の背面にある配線パターンの短絡防止効果をも発揮する。このようなリブ１２４，１２４の作用効果を捉えて、リブ１２４，１２４を中継基板１４の配線パターンに対する絶縁手段の実施形態と把握することもできる。
【００１４】
以上のようにして基板ホルダー１００に保持された中継基板１４は、スロットマシン１の内部に向けてコネクタ１５，１６が露出しているため、その両コネクタ１５，１６に図２Ａ（ｃ）のように遊技基板１２のコネクタ１８とホールコンピュータのコネクタ２０を差込み或いは外すことができる。
また、中継基板１４の検査は、コネクタ１８，２０を接続したままか或いは外した状態で図２Ａ（ｃ）〜図２Ａ（ｂ）〜図２Ａ（ａ）の順に装着時とは逆の操作を行い、基板ホルダー１００から中継基板１４を外せばよい。なお、検査が終了した後に中継基板１４を基板ホルダー１００に戻す手順は既に説明したとおりである。
【００１５】
ところで上記基板ホルダー１００において中継基板１４の遊びは大きくする程出し入れが容易になる反面、コネクタ１５，１６，１８，２０を接続する際の不安定さが増大する。
しかしそのようなマイナス面は、基板ホルダー１００に図４に示したような蓋形態の連結部材１０８を設けることで容易に解消できる。
すなわち図４の連結部材１０８は、基板ホルダー１００の外側に被さる蓋主体１０９の前面に、中継基板１４を奥に押し込む当板１１０と、コネクタ１５，１６を通す窓穴１１１があり、中継基板１４を入れた基板ホルダー１００にこの連結部材１０８を被せると、コネクタ１５，１６が窓穴１１１から外部に突出し、また、中継基板１４が奥に押し込まれてほぼ直立不動状態になる。従ってコネクタ１５，１６，１８，２０同士の着脱に際し中継基板１４が動かないから作業性がよい。よって、中継基板１４の出し入れに関する操作性を優先させるべく基板ホルダー１００内での中継基板１４の遊びを大きく設定することができる。
なお、基板ホルダー１００と連結部材１０８には噛合可能な関係にある凸条１１２と凹溝（図示せず）が形成されていて、両者が噛み合うことで基板ホルダー１００と連結部材１０８が結合し、また、連結部材１０８を引っ張るだけで容易に外れるようになっている。
【００１６】
上記説明で明らかなように実施形態において基板保持手段は主として上枠１０３と下枠１０２と開口部１０１の有機的な関係である。なお、図４の実施形態では連結部材１０８が加わるため、場合により上枠１０３と下枠１０２はなくてもよい。
【００１７】
以上本発明を実施の形態について説明したが、もちろん本発明は上記実施形態に限定されるものではない。そこで上記以外の実施形態の幾つかを実施例として以下に記載する。
【実施例１】
【００１８】
図７に示した基板ホルダー１００は、中継基板１４を摺動させて抜き差しするポケット型であり、基板ホルダー１００の両側と底部に中継基板１４の両縁と底辺が嵌まる溝１１３，１１４，１１５を設け、左右の溝１１３，１１４の上から中継基板１４を抜き差しするようになっている。
【００１９】
図７の基板ホルダー１００は以上のように構成され、もちろんそのまま実施可能であるが、次のような改良を施すとさらによい。
すなわち図７の基板ホルダー１００は、中継基板１４が溝１１３，１１４，１１５に直に擦れるため滑りが悪く、無理に押し込むと中継基板１４が損傷するおそれがある。
図８，図９の基板ホルダー１００はそのような課題に対する改善策を施したものであり、中継基板１４を収める凹部１１６付きの摺動板１１７を設け、その摺動板１１７を基板ホルダー１００の溝１１３，１１４，１１５に嵌めて摺動させるようにした。そして前記凹部１１６の深さを中継基板１４と同じか又はそれ以上に設定し、凹部１１６に収めた中継基板１４が溝１１３，１１４，１１５に直に触れないようにしてある。このような摺動板１１７を介在させることにより中継基板１４の抜き差しがスムーズになり、また、中継基板１４に無理な力が加わらないため損傷のおそれもない。
なお、摺動板１１７は、縦方向に拡張して溝１１３，１１４より大幅に長くし、溝１１３，１１４に嵌めたまま中継基板１４の着脱が行えるようにするとよい。
【００２０】
以上の説明で明らかなように実施例１の基板保持手段は、図７において溝１１３，１１４，１１５であり、図８，図９において溝１１３，１１４及び摺動板１１７である。
【実施例２】
【００２１】
図１０の基板ホルダーは、機内に固定する固定部材１１８と中継基板１４に付属させる連結部材１０８で構成したものである。
前記固定部材１１８は外枠２の側枠２ａの内面にビス止めする固定的な台板１１９と、その台板１１９の両側に突設した立壁１２０と、その立壁１２０の外側に突設した断面半円状の凸条１１２で概略構成される。
一方、連結部材１０８は、連結主板１２１と、その連結主板１２１の両側に突設され前記立壁１２０の凸条１１２に噛合する凹溝１２２を有するジョイント板１２３で構成される。この連結部材１０８は、コネクタ１８，２０の通過を可とし中継基板１４の通過を不可とする広さにした窓穴１１１を有し、その窓穴１１１にケーブル１７，１９を通してその先のコネクタ１８，２０を中継基板１４のコネクタ１５，１６に接続させる。そうすると中継基板１４が窓穴１１１に引っ掛かるから連結部材１０８がケーブル１７，１９から抜けない、つまり連結部材１０８がケーブル１７，１９にぶら下がって中継基板１４に付属する状態になる。この状態で連結部材１０８を固定部材１１８に取り付けると、間に入った中継基板１４が連結部材１０８に支えられて保持され、また、固定部材１１８から連結部材１０８を外すとその連結部材１０８に付随して中継基板１４も固定部材１１８から外れる。そして中継基板１４を検査している状態では、連結部材１０８がケーブル１７，１９にぶら下がっているため、連結部材１０８の置き場に困ったり連結部材１０８を紛失するおそれがない。
【００２２】
以上の説明で明らかなように、実施例２における基板ホルダー１００の基板保持手段は主として連結部材１０８である。
【００２３】
なお、図１０中符号１２５は固定部材１１８の立壁１２０の下端に設けた受片であり、この受片１２５によって連結部材１０８の下へ動きを規制する。
また、固定部材１１８に対して連結部材１０８を繋ぎ止める手段は、これまで説明したような凸条１１２と凹溝１２２の噛み合わせに限定されるものではない。例えば図１１のように連結部材１０８のジョイント板１２３をハの字状に傾斜させ、一方、固定部材１１８の立壁１２０をジョイント板１２３に合致するハの字状に傾斜させ、そのようなジョイント板１２３と立壁１２０の係合により固定部材１１８と連結部材１０８を繋ぎ止めるようにしてもよい。このいわゆる蟻継構造は凸条１１２や凹溝１２２を形成する場合に比べて容易且つ低コストに製造することができる。
【実施例３】
【００２４】
図１２〜図１７の基板ホルダー１００は前記連結部材１０８自体に中継基板１４を保持させる機能を持たせたものであり、図１の基板ホルダー１００の上枠１０３、下枠１０２、開口部１０１、天板１０５、底板１０６及びそれらと中継基板１４の寸法関係がそのままこの連結部材１０８に適用される。また、本連結部材１０８にも実施例２と同様の窓穴１１１があり、さらにまた、連結部材１０８を固定部材１１８に装着するための凸条１１２と凹溝１２２も設けられている。
【００２５】
しかして実施例３の基板ホルダー１００は、固定部材１１８が連結部材１０８の開口部１０１にすっぽり嵌まるベッド状になっており、しかも嵌まった状態で固定部材１１８と連結部材１０８の間に中継基板１４が一枚収まる程度の狭い隙間が出来るようになっている。
従って、図２Ａ（ａ）〜図２Ａ（ｃ）で説明したのと同じ要領で図１５（ａ）〜図１５（ｃ）の手順で連結部材１０８に中継基板１４を収め、さらに連結部材１０８を固定部材１１８に嵌めると、固定部材１１８と連結部材１０８の間の隙間に中継基板１４が挟まって安定する。そしてこの状態で中継基板１４の裏が固定部材１１８に当たって支えられるため、中継基板１４が外枠２に直接固定されているのと同じ使用感でコネクタ１５，１６とコネクタ１８，２０の接続・分離が行える。また、中継基板１４が連結部材１０８側に保持されるため固定部材１１８から連結部材１０８を外して裏返すだけで中継基板１４の裏側が確認でき、さらにその際中継基板１４に直接触れる必要もないから静電気によって遊技基板１２やホールコンピュータにダメージを与えるおそれもない。
【００２６】
なお、実施例３の連結部材１０８は上記のように固定部材１１８に着脱する場合の他、例えば図１７に示したように固定部材１１８と連結部材１０８にヒンジ部１２６を設けて開閉自在にしてもよい。この場合は、連結部材１０８を固定部材１１８から外さずに中継基板１４の裏側が確認できる効果がある。また、図５，図６に示したように基板ホルダー１００を図柄変動装置５より高所に設ければ、連結部材１０８を開閉する際に図柄変動装置５が邪魔になるおそれもない。
【００２７】
以上の記載から次のような技術的思想が把握できる。
「機内に設けた遊技基板と外部のコンピュータとを接続するための中継基板と、次の（ａ）〜（ｄ）の要件を具備してなる中継基板用の基板ボックスとを設けた遊技機。
（ａ）基板ボックスは、固定部材とその固定部材と対をなす連結部材で構成し、前記固定部材を遊技機側に固着又は一体化する。
（ｂ）固定部材又は連結部材の何れか一方に中継基板を保持する基板保持手段を設ける。
（ｃ）前記基板保持手段は中継基板の着脱が手だけで行える簡易保持構造とし、一方、固定部材又は連結部材のうち基板保持手段を設けない側の部材に固定部材と連結部材が合わさった状態で中継基板の位置を固定する基板固定手段（例えば図４の連結部材１０８の当板１１０、図１２の固定部材１１８）を設ける。
（ｄ）前記連結部材には中継基板のコネクタを外部に臨ませるための窓穴を設ける。
【００２８】
上記技術的思想では、基板ボックスの連結部材と固定部材の結合を解くと中継基板の固定が外れ、また、中継基板が固定部材又は連結部材に対し工具不要の基板保持手段で簡易に保持されているにすぎないため簡単・迅速に着脱できる。従って中継基板の組み付けや検査が効率よく行える。
【００２９】
以上本発明を実施の形態並びに実施例について説明したが、もちろん本発明は上記実施形態等に限定されるものではない。例えば、実施形態等では遊技機としてスロットマシンを例示したが、パチンコ機などそれ以外の遊技機にも適用可能である。特にパチンコ機の場合は、合成樹脂製の機構板に中継基板１４が取り付けられるため、機構板と基板ホルダー１００（上記において外枠２の側枠２ａに固定する部材）を樹脂成型による一体品としてもよい。
また、実施形態等の中継基板１４は縦長形態になっているが、横長形態の中継基板にも同様に適用できる。
また、図１２に二点鎖線で示したように中継基板１４の裏側に連結部材１０８を一体又は着脱自在に取着し、その連結部材１０８を介して中継基板１４を固定部材１１８に対して着脱させるようにしてもよい。なお、図１２二点鎖線の連結部材１０８は、中継基板１４の裏側全面に密着させるようにして取り付けたが、連結部材１０８を左右に分断させて中継基板１４の背面に取り付け、その結果、前記した中継基板１４の背面に電気的絶縁空間が形成されるようにしてもよい。
また、上記した基板ホルダー１００の連結部材１０８を透明な合成樹脂で形成するようにしてもよい。そうすることにより連結部材１０８越しに中継基板１４の表面の様子が確認できるため、検査の能率がさらに向上する。
【００３０】
また、実施形態等では連結部材１０８が誰でも自由に着脱できるようになっているが、連結部材１０８の着脱跡が残る封印手段を別途設けるようにしてもよい。そうすることにより防犯効果がさらに高まる。
また、図１（ａ）と図２Ｂによって説明した、リブ１２４，１２４を実施形態とする中継基板１４の絶縁手段、すなわち基板ホルダー１００に対して中継基板１４の背面を浮かせて電気的絶縁空間を形成する絶縁手段は、本明細書に記載した全ての実施形態等に適用可能である。さらに前記絶縁手段をリブで形成し、そのリブを中継基板１４のコネクタ１５，１６の真裏に配置したものも本明細書に記載の全ての実施形態等に適用できる。
【図面の簡単な説明】
【００３１】
【図１】（ａ）は基板ホルダーと中継基板の分解斜視図、（ｂ）は基板ホルダーに中継基板を保持させた状態を示す斜視図である。
【図２Ａ】（ａ）〜（ｃ）は基板ホルダーに中継基板を保持させる工程を示す縦断面図である。
【図２Ｂ】基板ホルダーに中継基板を保持させる状態を示す縦断面図である。
【図３】基板ホルダーに中継基板を保持させた状態を示す斜視図である。
【図４】基板ホルダーと中継基板の分解斜視図である。
【図５】スロットマシンの側面図である。
【図６】スロットマシンの正面断面図である。
【図７】基板ホルダーと中継基板の分解斜視図である。
【図８】基板ホルダーと中継基板の分解斜視図である。
【図９】基板ホルダーに中継基板を保持させた状態を示す斜視図である。
【図１０】基板ホルダーと中継基板の分解斜視図である。
【図１１】基板ホルダーに中継基板を保持させた状態を示す横断平面図である。
【図１２】基板ホルダーと中継基板の分解斜視図である。
【図１３】基板ホルダーの連結部材に中継基板を収めた分解斜視図である。
【図１４】基板ホルダーに中継基板を保持させた状態を示す斜視図である。
【図１５】（ａ）〜（ｃ）は基板ホルダーに中継基板を保持させる工程を示す縦断面図である。
【図１６】基板ホルダーに中継基板を保持させた状態を示す横断平面図である。
【図１７】基板ホルダーに中継基板を保持させた状態を示す横断平面図である。
【符号の説明】
【００３２】
１  …スロットマシン（遊技機）
１２…遊技基板
１４…中継基板
１００…基板ホルダー
【図１】
2005143607.tif 000003
【図２Ａ】
2005143607.tif 000004
【図２Ｂ】
2005143607.tif 000005
【図３】
2005143607.tif 000006
【図４】
2005143607.tif 000007
【図５】
2005143607.tif 000008
【図６】
2005143607.tif 000009
【図７】
2005143607.tif 000010
【図８】
2005143607.tif 000011
【図９】
2005143607.tif 000012
【図１０】
2005143607.tif 000013
【図１１】
2005143607.tif 000014
【図１２】
2005143607.tif 000015
【図１３】
2005143607.tif 000016
【図１４】
2005143607.tif 000017
【図１５】
2005143607.tif 000018
【図１６】
2005143607.tif 000019
【図１７】
2005143607.tif 000020